(57)【要約】【課題】野生動物を確実に捉え得る捕獲装置を提供する。【解決手段】動物の逸走を阻止可能な格子状で且つ地表に定置される檻底部１と、檻底部１の四隅に垂直に立設した支柱２と、動物の逸走を阻止可能な格子状で且つ各支柱２の間に位置する合計四面の檻側部３を有し、自重により支柱２の上半側から下半側へ滑落する檻本体４と、動物の逸走を阻止可能な格子状で且つ前記檻底部１と向き合う檻頂部５と、檻本体４の重量を受けて支柱２の上半側に保持する待機用ストッパ６とを備え、檻底部１に多様な方角から入ってきた野生動物を、檻本体４で囲んで確実に捉える。【選択図】図１
2008283930.tif 000002
【特許請求の範囲】
【請求項１】
動物の逸走を阻止可能な形状で且つ地表に定置される檻底部と、該檻底部の四隅に垂直に立設した支柱と、動物の逸走を阻止可能な形状で且つ各支柱の間に位置する合計四面の檻側部を有し、しかも自重により各檻側部が一体的に支柱の上半側から下半側へ滑落する檻本体と、動物の逸走を阻止可能な形状で且つ支柱下半側へ滑落した檻本体上縁に見合う高さに配置され、しかも前記檻底部と向き合う檻頂部と、押し引き可能に檻頂部に設けたた係止ピンが基端上面に接しているときに、檻本体の重量を受けて支柱上半側に保持し、且つ係止ピンが引かれて基端上面から外れたときに、檻本体を滑落させる待機用ストッパと、係止ピンに中間材を介して繋げられた引き紐と、前記檻底部への動物進入を検知するセンサと、動物進入をセンサが検知した際に、リールを回転させて前記引き紐を巻き取るモータとを備えてなることを特徴とする捕獲装置。
【請求項２】
支柱に沿ってその上半側から下半側へ下降し得る棒状体と、前記支柱から横向きに突出し、しかも檻頂部が取り付けられるブラケットと、前記棒状体に該ブラケットを跨ぐように固着したフォークとを備え、檻側部をフォークに取り付けて檻本体を形成した請求項１に記載の捕獲装置。
【請求項３】
モータへの給電を選択的に遮断し得るスイッチを設けた請求項１、あるいは請求項２のいずれかに記載の捕獲装置。
【発明の詳細な説明】
【技術分野】
【０００１】
本発明は捕獲装置に関するものである。
【背景技術】
【０００２】
近年、山林が切り拓かれることに伴って、猪などの野生動物が里へ降りて農作物を喰い荒らすという被害が頻発している。
【０００３】
そこで、猪を選択的に捉えることを目的した捕獲装置が提案されている（例えば、特許文献１参照）。
【０００４】
この捕獲装置は、猪が進入可能な前面開口を閉止し得る落し扉を有する前面部と、猪が進入可能な背面開口を閉止し得る落し扉を有する背面部と、猪が進入できない格子形状の第１、第２の側面部とを主たる構成要素とした箱型の檻であって、特に、猪以外の動物や人間の子供が脱出を図るための上面開口部を、地面から１．２ｍ以上の高さ位置に設けている。
【特許文献１】特開２００５−９５０９９号公報
【発明の開示】
【発明が解決しようとする課題】
【０００５】
上述した捕獲装置では、前面部や背面部に近付いてきた猪は、開口を経て檻の中へ入るが、第１、第２の側面部に向かって来る猪は、警戒して檻を避けてしまい、捕獲することができない。
【０００６】
本発明は野生動物を確実に捉え得る捕獲装置を提供することを目的としている。
【課題を解決するための手段】
【０００７】
上記目的を達成するため、請求項１に記載の発明では、動物の逸走を阻止可能な形状で且つ地表に定置される檻底部と、該檻底部の四隅に垂直に立設した支柱と、動物の逸走を阻止可能な形状で且つ各支柱の間に位置する合計四面の檻側部を有し、しかも自重により各檻側部が一体的に支柱の上半側から下半側へ滑落する檻本体と、動物の逸走を阻止可能な形状で且つ支柱下半側へ滑落した檻本体上縁に見合う高さに配置され、しかも前記檻底部と向き合う檻頂部と、押し引き可能に檻頂部に設けたた係止ピンが基端上面に接しているときに、檻本体の重量を受けて支柱上半側に保持し、且つ係止ピンが引かれて基端上面から外れたときに、檻本体を滑落させる待機用ストッパと、係止ピンに中間材を介して繋げられた引き紐と、前記檻底部への動物進入を検知するセンサと、動物進入をセンサが検知した際に、リールを回転させて前記引き紐を巻き取るモータとを備えている。
【０００８】
更に、請求項２に記載の発明では、支柱に沿ってその上半側から下半側へ下降し得る棒状体と、前記支柱から横向きに突出し、しかも檻頂部が取り付けられるブラケットと、前記棒状体に該ブラケットを跨ぐように固着したフォークとを備え、檻側部をフォークに取り付けて檻本体を形成する。
【０００９】
また、請求項３に記載の発明では、モータへの給電を選択的に遮断し得るスイッチを設ける。
【発明の効果】
【００１０】
本発明の捕獲装置によれば、下記のように優れた効果を奏し得る。
【００１１】
（１）請求項１〜３に記載のいずれの発明においても、檻底部の四隅に垂直に立設した支柱の間に位置する合計四面の檻側部を有する檻本体を、その自重によって支柱の上半側から下半側へ滑落させるので、多様に方角から檻底部へと入ってきた野生動物を、確実に捉えることができる。
【００１２】
（２）支柱から横向きに突出する檻頂部取付用のブラケットと、ブラケットを跨ぐように棒状体に固着した檻側部取付用のフォークとを設ければ、前記ブラケットをフォークが跨ぐ分に応じて、滑落した後の檻本体の檻側部に対する檻頂部の位置をより上側に設定することでき、動物が入るスペースの高さが拡がる。
【００１３】
（３）昼間にスイッチをモータへの給電を遮断するように設定しておけば、誤って人間が檻頂部の下方へ入っても檻本体が滑落せず、安全性を担保できる。
【発明を実施するための最良の形態】
【００１４】
以下、本発明の実施の形態を図面に基づき説明する。
【００１５】
図１〜図５は本発明の捕獲装置の一例であり、地表に定置される檻底部１と、該檻底部１の四隅に垂直に立設した支柱２と、これら支柱２の間に位置する合計四面の檻側部３を有し、支柱２の上半側から下半側へ滑落する檻本体４と、支柱２下半側へ滑落した檻本体４上縁に見合う高さに配置され、しかも前記檻底部１と向き合う檻頂部５と、檻本体４の重量を受けて支柱２上半側に保持する待機用ストッパ６と、檻底部１への動物進入を検知するセンサ７と、該センサ７により動物進入が検知された引き紐８をリール９に巻き取るモータ１０と、前記リール９への引き紐８の巻き取りに伴い待機用ストッパ６を解放して檻本体４を滑落させる係止ピン１６、アーム２１、及びワイヤ３１とを備えている。
【００１６】
檻底部１、檻側部３、檻頂部５は、猪の逸走を阻止可能な格子状（図面では、部分的に省略）としてあり、合計四面の檻側部３からなる檻本体４は、檻底部１の上に載った猪を捉える囲いの役割を果たす。
【００１７】
更に、檻本体４の四隅には垂直に延びて上向きに突出する丸棒１２が取り付けてあり、この丸棒１２は、支柱２の上半側から下半側へ檻本体４が滑落する際に、支柱２に用いたアングル材の谷部分を摺動し、当該檻本体４が傾くことを防ぐ。
【００１８】
檻頂部５の四隅は、ブラケット１３を介して各支柱２の上下方向中間部分に支持され、檻本体４の四隅の縦部材１４には、上下方向へ延びる長大なスリットが形作ってある。
【００１９】
各ブラケット１３は縦部材１４のスリットに通され、檻本体４が支柱２に沿って自由に昇降できるようになっている。
【００２０】
待機用ストッパ６は、先端近傍個所が水平ピン１５により檻頂部５に枢支されている。
【００２１】
檻本体４を吊上げた後、檻頂部５に横向きに押し引き可能に設けてある係止ピン１６が待機用ストッパ６の基端上面に接していることを確認したうえ、檻本体４の下辺部材１７に取り付けてある爪１８を待機用ストッパ６の先端上面に引っ掛けると、支柱２の上半側に檻本体４が保持され、どの方位からでも猪が檻頂部５の真下に入れるようになる。
【００２２】
猪が檻頂部５の真下に入った際に、係止ピン１６を引いて待機用ストッパ６の基端上面から外すと、檻本体４の重量により待機用ストッパ６の先端部分が押し下げられ、爪１８が待機用ストッパ６の先端上面が外れ、支柱２の上半側から下半側へ檻本体４が滑落し、猪は檻本体４に囲まれることになる。
【００２３】
待機用ストッパ６の他に、檻本体４を一時的に支柱２の上半側から滑落させないようにして作業中の安全を向上させるためストッパや、あるいは支柱２の下半側に滑落して猪を捉えた檻本体４が一時的に持ち上がらないようにするストッパなどを付帯させてもよい。
【００２４】
センサ７は、非接触検知方式、あるいは接触検知方式のいずれであってもよく、非接触検知方式である場合は、檻頂部５に取り付けることが好ましい。
【００２５】
モータ１０と電源１９との間には、トグルスイッチ２０が組み込んであり、このトグルスイッチ２０がオンに設定されているときに、センサ７が動物進入を検知すると、モータ１０が作動し、直ちに引き紐８がリール９に巻き取られはじめる。
【００２６】
電源１９としては様々なものが選択できるが、捕獲装置の設置場所からして商用の交流１００Ｖは得にくいので、バッテリ（ソーラー方式のものを含む）を用いることになる。
【００２７】
アーム２１は、先端近傍個所が垂直ピン２４により檻頂部５に枢支され、長手方向中間個所に前記係止ピン１６を連結してある。
【００２８】
係止ピン１６を待機用ストッパ６の基端上面から引き離す動作をモータ１０に行わせるために、アーム２１の基端には前記リール９から繰り出した引き紐８の先端がワイヤ３１を介して繋げられている。
【００２９】
係止ピン１６が待機用ストッパ６の基端上面から離れる方向と、リール９へ引き紐８が巻き取られる方向とは、平面視で約９０°ずれているので、これに見合うように、ワイヤ３１の中間部分は滑車３３の外周の約四分の一に巻きかけられている。
【００３０】
引き紐８はトグルスイッチ２０の操作部材に穿設した孔に通され、この孔よりも大きなストライカ３２が、引き紐８とワイヤ３１の相互係止個所に取り付けてある。
【００３１】
ストライカ３２は、前記リール９から引き紐８が繰り出され、待機用ストッパ６の基端上面に係止ピン１６が接している場合は、トグルスイッチ２０の操作部材に対して充分に離れたところに位置している。
【００３２】
リール９に引き紐８が巻き取られ、アーム２１の動きに追従して係止ピン１６が待機用ストッパ６の基端上面から外れると、トグルスイッチ２０の操作部材にストライカ３２が突き当たり、トグルスイッチ２０がＯＮからＯＦＦに切り換わる。
【００３３】
猪を捉えるのに際しては、リール９から引き紐８を充分に繰り出しておき、檻本体４を吊上げ、係止ピン１６が待機用ストッパ６の基端上面に接していることを確認したうえ、檻本体４の下辺部材１７の爪１８を待機用ストッパ６の先端上面に引っ掛けて、支柱２の上半側に檻本体４を保持させ、トグルスイッチ２０の操作部材をＯＮ側に設定する。
【００３４】
この後、檻底部１への猪の進入がセンサ７により検知されると、モータ１０が作動して引き紐８がリール９に巻き取られ、アーム２１が動く。
【００３５】
次いで、係止ピン１６が待機用ストッパ６の基端上面から外れて、支柱２の上半側から下半側へ檻本体４が滑落し、猪の捕獲が完了する。
【００３６】
待機用ストッパ６の基端上面から係止ピン１６が外れると、トグルスイッチ２０の操作部材にストライカ３２が突き当たり、トグルスイッチ２０がＯＮからＯＦＦに切り換わるため、モータ１０が焼損しない。
【００３７】
また、昼間にトグルスイッチ２０の操作部材をＯＦＦに設定しておけば、誤って人間が檻頂部５の下方へ入っても檻本体４が滑落しない。
【００３８】
図６は本発明の捕獲装置の他の例であり、檻本体３４の構造が先に述べたもの（図１、図２に示す檻本体４）と異なっているが、その他は、図１〜図５に示すものと同様な構成になっている。
【００３９】
檻本体３４は、支柱２に沿ってその上半側から下半側へ下降し得る丸棒１２と、支柱２から横向きに突出しているブラケット３５を跨ぐように丸棒１２に固着したフォーク３６（図１、図２における縦部材１４に相当）とを備え、当該フォーク３６に檻側部３を取り付けてあり、また、ブラケット３５は檻頂部５を支持している。
【００４０】
支柱２のブラケット３５が突出する部分は、丸棒１２を周方向に取り囲み、しかも丸棒１２の上下移動を許容するように、二つのアングル材を四角筒に組み合わせた構造としてある。
【００４１】
このような構成を採ると、ブラケット３５をフォーク３６が跨ぐ分の寸法Ｈに応じて、滑落した後の檻本体３４の檻側部３に対する檻頂部５の位置をより上側へと設定することでき、動物が入るスペースの高さが拡がる。
【００４２】
なお、本発明の捕獲装置は、上述した実施の形態のみに特に限定されるものではなく、本発明の要旨を逸脱しない範囲において変更を加え得ることは勿論である。
【産業上の利用可能性】
【００４３】
本発明の捕獲装置は、様々な野生動物を捉える場合に使うことができる。
【図面の簡単な説明】
【００４４】
【図１】本発明の捕獲装置の一例において、檻本体が滑落する前の状態を示す斜視図である。
【図２】本発明の捕獲装置の一例において、檻本体が滑落した後の状態を示す斜視図である。
【図３】本発明の捕獲装置の一例において、檻本体が滑落する前の待機用ストッパや機械手段の位置関係を平面的に示す概念図である。
【図４】本発明の捕獲装置の一例において、檻本体が滑落した後の待機用ストッパや機械手段の位置関係を平面的に示す概念図である。
【図５】図３のＶ−Ｖ矢視図である。
【図６】本発明の捕獲装置の他の例の檻本体の主要部分を示す斜視図である。
【符号の説明】
【００４５】
１  檻底部
２  支柱
３  檻側部
４  檻本体
５  檻頂部
６  待機用ストッパ
７  センサ
８  引き紐
９  リール
１０  モータ
２０  トグルスイッチ
２１  アーム（中間材）
３１  ワイヤ（中間材）
３４  檻本体
３５  ブラケット
３６  フォーク
【図１】
2008283930.tif 000003
【図２】
2008283930.tif 000004
【図３】
2008283930.tif 000005
【図４】
2008283930.tif 000006
【図５】
2008283930.tif 000007
【図６】
2008283930.tif 000008